【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
情報提供装置により管理されているフォルダを識別するためのフォルダ識別情報を含む要求である取得要求を生成する取得要求生成部と、
前記取得要求生成部により生成された前記取得要求を前記情報提供装置に送信する送信部と、
前記取得要求に対する応答として、前記フォルダ識別情報により識別される前記フォルダの直下に存在するフォームを含む応答である取得応答を前記情報提供装置から受信する受信部と、
前記フォームに入力された情報である入力情報を含む要求である実行要求を生成する実行要求生成部と、
を備え、
前記送信部は、
前記情報提供装置に前記実行要求を送信し、
前記受信部は、
前記入力情報に基づいて処理が実行された後、前記実行要求に対する応答として、前記取得要求に含まれていた前記フォルダ識別情報に対応する情報である動作情報を含む実行応答を前記情報提供装置から受信し、
前記受信部により受信された前記実行応答に含まれていた前記動作情報に対応するコマンドを実行する実行部をさらに備える、情報処理装置。
【請求項２】
前記実行部は、
前記動作情報に対応するコマンドとして、前記動作情報に付加されていた所定の条件を含む取得要求を前記取得要求生成部に生成させる処理と、前記送信部を介して前記取得要求を前記情報提供装置に送信させる処理と、前記取得要求に対する応答として、前記所定の条件に応じたオブジェクトを含む応答である取得応答を、前記受信部を介して前記情報提供装置から受信させる処理と、を実行する、
請求項１に記載の情報処理装置。
【請求項３】
前記実行要求生成部は、
前記フォームに含まれていた所定の情報をさらに含む要求を前記実行要求として生成する、
請求項１に記載の情報処理装置。
【請求項４】
前記所定の情報を選択するための情報である選択情報の入力を受け付ける入力部をさらに備え、
前記実行要求生成部は、
前記入力部により入力が受け付けられた前記選択情報により選択される前記所定の情報と前記入力情報とを含む要求を前記実行要求として生成する、
請求項１に記載の情報処理装置。
【請求項５】
前記入力部は、
前記入力情報の入力をさらに受け付け、
前記実行要求生成部は、
前記入力部により入力が受け付けられた前記入力情報と前記選択情報により選択される前記所定の情報とを含む要求を前記実行要求として生成する、
請求項４に記載の情報処理装置。
【請求項６】
前記情報処理装置は、
前記動作情報と前記コマンドとが対応付けられてなる対応情報を記憶する記憶部をさらに備え、
前記実行部は、
前記受信部により受信された前記動作情報に対応する前記コマンドを前記記憶部により記憶されている前記対応情報から取得して実行する、
請求項２に記載の情報処理装置。
【請求項７】
取得要求生成部と、送信部と、受信部と、実行要求生成部と、実行部とを備える情報処理装置の前記取得要求生成部により、情報提供装置により管理されているフォルダを識別するためのフォルダ識別情報を含む要求である取得要求を生成するステップと、
前記送信部により、前記取得要求生成部により生成された前記取得要求を前記情報提供装置に送信するステップと、
前記受信部により、前記取得要求に対する応答として、前記フォルダ識別情報により識別される前記フォルダの直下に存在するフォームを含む応答である取得応答を前記情報提供装置から受信するステップと、
前記実行要求生成部により、前記フォームに入力された情報である入力情報を含む要求である実行要求を生成するステップと、
前記送信部により、前記情報提供装置に前記実行要求を送信するステップと、
前記受信部により、前記入力情報に基づいて処理が実行された後、前記実行要求に対する応答として、前記取得要求に含まれていた前記フォルダ識別情報に対応する情報である動作情報を含む実行応答を前記情報提供装置から受信するステップと、
前記実行部により、前記受信部により受信された前記実行応答に含まれていた前記動作情報に対応するコマンドを実行するステップと、
を含む、情報処理方法。
【請求項８】
コンピュータを、
情報提供装置により管理されているフォルダを識別するためのフォルダ識別情報を含む要求である取得要求を生成する取得要求生成部と、
前記取得要求生成部により生成された前記取得要求を前記情報提供装置に送信する送信部と、
前記取得要求に対する応答として、前記フォルダ識別情報により識別される前記フォルダの直下に存在するフォームを含む応答である取得応答を前記情報提供装置から受信する受信部と、
前記フォームに入力された情報である入力情報を含む要求である実行要求を生成する実行要求生成部と、
を備え、
前記送信部は、
前記情報提供装置に前記実行要求を送信し、
前記受信部は、
前記入力情報に基づいて処理が実行された後、前記実行要求に対する応答として、前記取得要求に含まれていた前記フォルダ識別情報に対応する情報である動作情報を含む実行応答を前記情報提供装置から受信し、
前記受信部により受信された前記実行応答に含まれていた前記動作情報に対応するコマンドを実行する実行部をさらに備える、情報処理装置として機能させるためのプログラム。
【請求項９】
フォルダを識別するためのフォルダ識別情報を含む要求である取得要求を情報処理装置から受信する受信部と、
前記取得要求に対する応答として、前記受信部により受信された前記取得要求に含まれていた前記フォルダ識別情報により識別されるフォルダに存在するフォームを含む応答である取得応答を生成する取得応答生成部と、
前記取得応答生成部により生成された前記取得応答を前記情報処理装置に送信する送信部と、
を備え、
前記受信部は、
前記フォームに入力された情報である入力情報を含む要求である実行要求を前記情報処理装置から受信し、
前記受信部により受信された前記取得要求に含まれていた前記フォルダ識別情報に対応する情報である動作情報を含む応答である実行応答を生成する実行応答生成部をさらに備える、情報提供装置。
【請求項１０】
前記送信部は、
前記入力情報に基づいて処理が実行された後、前記実行応答生成部により生成された前記実行応答を前記情報処理装置に送信する、
請求項９に記載の情報提供装置。
【請求項１１】
前記送信部は、
前記フォームに含まれていた所定の情報をさらに含む要求を前記実行要求として受信した場合、前記所定の情報と前記入力情報とに基づいて処理が実行された後、前記実行応答を前記情報処理装置に送信する、
請求項１０に記載の情報提供装置。
【請求項１２】
前記所定の情報はＵｎｉｆｏｒｍ  Ｒｅｓｏｕｒｃｅ  Ｌｏｃａｔｏｒ（ＵＲＬ）である、請求項１１に記載の情報提供装置。
【請求項１３】
前記情報提供装置は、
前記動作情報と前記フォルダ識別情報とが対応付けられてなる対応情報を記憶する記憶部をさらに備え、
前記実行応答生成部は、
前記受信部により受信された前記取得要求に含まれていた前記フォルダ識別情報に対応する前記動作情報を前記記憶部により記憶されている前記対応情報から取得し、取得した前記動作情報を含む応答を前記実行応答として生成する、
請求項９に記載の情報提供装置。
【請求項１４】
前記取得応答生成部は、
前記フォームを含む前記取得応答を受信した場合の処理を前記情報処理装置が正常に行うことが可能であるか否かを判断し、
前記送信部は、
前記取得応答生成部により、前記フォームを含む前記取得応答を受信した場合の処理を前記情報処理装置が正常に行うことが可能であると判断した場合には、前記情報処理装置に前記フォームを含む前記取得応答を送信する、
請求項９に記載の情報提供装置。
【請求項１５】
前記送信部は、
前記取得応答生成部により、前記フォームを含む前記取得応答を受信した場合の処理を前記情報処理装置が正常に行うことが不可能であると判断した場合には、前記フォームを含む前記取得応答の代わりに、前記取得要求に含まれていた前記フォルダ識別情報により識別されるフォルダの直下にオブジェクトが１件も存在しない旨を示す応答を、前記取得応答として前記情報処理装置に送信する、
請求項１４に記載の情報提供装置。
【請求項１６】
ＤＬＮＡ（Ｄｉｇｉｔａｌ  Ｌｉｖｉｎｇ  Ｎｅｔｗｏｒｋ  Ａｌｌｉａｎｃｅ）環境におけるＤＭＳ（Ｄｉｇｉｔａｌ  Ｍｅｄｉａ  Ｓｅｒｖｅｒ）として機能する、請求項９に記載の情報提供装置。
【請求項１７】
ＤＬＮＡ（Ｄｉｇｉｔａｌ  Ｌｉｖｉｎｇ  Ｎｅｔｗｏｒｋ  Ａｌｌｉａｎｃｅ）環境におけるＤＭＰ（Ｄｉｇｉｔａｌ  Ｍｅｄｉａ  Ｐｌａｙｅｒ）として機能する、請求項９に記載の情報処理装置。
【請求項１８】
情報提供装置と、情報処理装置とを有する情報処理システムであって、
前記情報処理装置は、
前記情報提供装置により管理されているフォルダを識別するためのフォルダ識別情報を
含む要求である取得要求を生成する取得要求生成部と、
前記取得要求生成部により生成された前記取得要求を前記情報提供装置に送信する送信
部と、
前記取得要求に対する応答として、前記フォルダ識別情報により識別される前記フォル
ダの直下に存在するフォームを含む応答である取得応答を前記情報提供装置から受信する
受信部と、
前記フォームに入力された情報である入力情報を含む要求である実行要求を生成する実
行要求生成部と、
を備え、
前記送信部は、
前記情報提供装置に前記実行要求を送信し、
前記情報提供装置は、
前記取得要求を前記情報処理装置から受信する受信部と、
前記取得要求に対する応答として、前記受信部により受信された前記取得要求に含まれ
ていた前記フォルダ識別情報により識別されるフォルダの直下に存在するフォームを含む
応答である取得応答を生成する取得応答生成部と、
前記取得応答生成部により生成された前記取得応答を前記情報処理装置に送信する送信
部と、
を備え、
前記受信部は、
前記フォームに入力された情報である入力情報を含む要求である実行要求を前記情報処
理装置から受信する、情報処理システム。
【手続補正２】
【補正対象書類名】明細書
【補正対象項目名】００８０
【補正方法】変更
【補正の内容】
【００８０】
実行応答生成部１２３は、実行要求に含まれるフォルダＩＤにより識別されるフォルダの直下にあるフォームを入力情報とフォームに設定されているＵＲＬとに応じて実行する（ステップＳ１１０）。続いて、実行応答生成部１２３は、取得要求に含まれていたフォルダＩＤに対応する動作情報を含む実行応答を生成し（ステップＳ１１１）、送信部１４０は、実行応答を情報処理装置２００に送信して（ステップＳ１１２）、処理を終了する。